(57)【要約】      （修正有）【課題】体積を大幅に減らしてスペースを節約できる回転可能な靴下ラックを提供する。【解決手段】靴下ラック１は、接続柱４を備え、接続柱の外側に第一回転リング５が可動可能に被装され、第一回転リングの両側の表面に何れも第一フレーム６が固設され、第一回転リングの頂部において且つ接続柱の外側に第二回転リング３が可動可能に被装され、第二リングの両側の表面に何れ第二フレーム２が固設され、第一フレームと第二フレームの表面に何れも横向きに接続穴７が設けられる。靴下ラックは、実際に使用する際、手で第一フレームと第二フレームを違う方向へ移動させて、第一回転リングと第二回転リングを接続柱の周りに回って違う方向に回転させることで、靴下ラック全体を伸び開く。続いて、吊り下げ紐を対応な接続穴の内側に固定し、吊り下げ紐の底部に設置されたクラップにより靴下を挟んで干すことができる。使わない際、上記と逆操作で折り畳んで収納できる。【選択図】図１
0003231877.tif 000002
【実用新案登録請求の範囲】
【請求項１】
回転可能な靴下ラックであり、それは接続柱（4）を備え、
前記接続柱（4）の外側に第一回転リング（5）が可動可能に被装され、前記第一回転リング（5）の両側の表面に何れも第一フレーム（6）が固設され、前記第一回転リング（5）の頂部において且つ接続柱（4）の外側に第二回転リング（3）が可動可能に被装され、前記第二リング（3）の両側の表面に何れ第二フレーム（2）が固設され、前記第一フレーム（6）と第二フレーム（2）の表面に何れも横向きに接続穴（7）が設けられることを特徴とする回転可能な靴下ラック。
【請求項２】
前記接続穴（7）の内側に何れも吊り下げ紐（12）が設置され、前記吊り下げ紐（12）の底部に何れも接続リング（15）が固設され、また、接続リング（15）の底部に何れもクリップ（13）が固設されることを特徴とする請求項１に記載の回転可能な靴下ラック。
【請求項３】
前記第一フレーム（6）が第一回転リング（5）に近い一端の高さは第一回転リング（5）の高さより大きく、または、第一フレーム（6）が第一回転リング（5）に近い一端に、係合凹溝（14）が形成されることを特徴とする請求項１に記載の回転可能な靴下ラック。
【請求項４】
前記第一回転リング（5）の内側の複数所定箇所に係合開口部（11）が設置され、また、第二回転リング（3）の内側壁の四周に係合ブロック（9）が設置されることを特徴とする請求項１に記載の回転可能な靴下ラック。
【請求項５】
前記第二回転リング（3）の内側の開口部に、傾斜している止めリング（8）が設置され、また、止めリング（8）の表面に接続開口部（10）が設置されることを特徴とする請求項１に記載の回転可能な靴下ラック。
【請求項６】
前記接続柱（4）の頂部に折り曲げ可能なフック（1）が一体成型されることを特徴とする請求項１に記載の回転可能な靴下ラック。
【考案の詳細な説明】
【技術分野】
【０００１】
本考案は生活用品の技術分野に関し、具体的には回転可能な靴下ラックに関する。
【背景技術】
【０００２】
今の都市生活では、個人の空間はだんだん小さくなり、空間利用の良し悪しは生活用品の選択に関わっている。靴下は誰にも欠かせない生活用品であり、毎日靴下を洗濯しないといけなく、洗濯した靴下を干す場合、靴下ラックを使って、多くの靴下を一緒に干す。
【０００３】
既存の靴下ラックの構造は、一般的に固定式であり、折りたたんで収納することはできないため、使わない時、大きなスペースを占有し、収納が非常に不便であるという課題がある。
【考案の概要】
【考案が解決しようとする課題】
【０００４】
本考案は、上記記載の、既存の靴下ラックの構造は、一般的に固定式であり、折りたたんで収納することはできないため、使わない時、大きなスペースを占有し、収納が非常に不便であるという課題を解決するために、回転可能な靴下ラックの提供を目的とする。
【課題を解決するための手段】
【０００５】
以上の目的を実現するために、本考案の使用する技術的な解決方案は以下の通りである。回転可能な靴下ラックであり、それは接続柱を備え、前記接続柱の外側に第一回転リングが可動可能に被装され、前記第一回転リングの両側の表面に何れも第一フレームが固設され、前記第一回転リングの頂部において且つ接続柱の外側に第二回転リングが可動可能に被装され、前記第二リングの両側の表面に何れ第二フレームが固設され、前記第一フレームと第二フレームの表面に何れも横向きに接続穴が設けられる。
【０００６】
好ましくは、前記接続穴の内側に何れも吊り下げ紐が設置され、前記吊り下げ紐の底部に何れも接続リングが固設され、また、接続リングの底部に何れもクリップが固設される。
【０００７】
好ましくは、前記第一フレームが第一回転リングに近い一端の高さは第一回転リングの高さより大きく、または、第一フレームが第一回転リングに近い一端に、係合凹溝が形成される。
【０００８】
好ましくは、前記第一回転リングの内側の複数所定箇所に係合開口部が設置され、また、第二回転リングの内側壁の四周に係合ブロックが設置される。
【０００９】
好ましくは、前記第二回転リングの内側の開口部に、傾斜している止めリングが設置され、また、止めリングの表面に接続開口部が設置される。
【００１０】
好ましくは、前記接続柱の頂部に折り曲げ可能なフックが一体成型される。
【考案の効果】
【００１１】
既存技術と比べて、本考案の有益な効果は以下の通りである。該回転可能な靴下ラックは、実際に使用する際、手で第一フレームと第二フレームを違う方向へ移動させて、第一回転リングと第二回転リングを接続柱の周りに回って違う方向に回転させることで、靴下ラック全体を伸び開く。また、吊り下げ紐を対応な接続穴の内側に固定し、吊り下げ紐の底部に設置されたクラップにより靴下を挟んで干すできるようになる。使わない際、上記と逆操作で折り畳んで収納できるため、靴下ラックの体積を大幅に減らしてスペースを節約できるようになる。
【図面の簡単な説明】
【００１２】
【図１】本考案の立体図である。
【図２】本考案における第二回転リングの構造を示す図である。
【図３】本考案における第一回転リングの構造を示す図である。
【図４】本考案における第一フレームの接続構造を示す図である。
【図５】本考案におけるフックの構造を示す図である。
【考案を実施するための形態】
【００１３】
これから、図面と合わせて、本考案の実施形態について具体的に説明する。もちろん、説明する実施形態は本考案の実施形態の一部に過ぎなく、全部の実施形態ではない。本考案の実施形態に基づき、本考案の原理から逸脱しない前提において、実施した改善又は修正は、いずれも本発明の保護範囲とみなすべきである。
【００１４】
図1―5に示すように、本考案は回転可能な靴下ラックを提供し、それは接続柱4を備え、接続柱4の外側に第一回転リング5が可動可能に被装され、第一回転リング5の両側の表面に何れも第一フレーム6が固設され、第一回転リング5の頂部において且つ接続柱4の外側に第二回転リング3が可動可能に被装され、第二リング3の両側の表面に何れ第二フレーム2が固設され、第一回転リング5と第二回転リング3をそれぞれ接続柱4に被装して、手で第一フレーム6と第二フレーム2を違う方向へ移動させて、第一回転リング5と第二回転リング3を接続柱の周りに回って違う方向な移動させることで、靴下ラック全体を伸び開く。第一フレーム6と第二フレーム2の表面に何れも横向きに接続穴7が設けられ、接続穴7の内側に何れも吊り下げ紐12が設置され、吊り下げ紐12の底部に何れも接続リング15が固設され、また、接続リング15の底部に何れもクリップ13が固設され、吊り下げ紐12を対応な接続穴7の内側に固定し、吊り下げ紐12の底部に設置されたクリップ13により靴下を挟んで干すことができるようになる。使わない際、上記と逆操作で折り畳んで収納できるため、靴下ラックの体積を大幅に減らしてスペースを節約できるようになる。
【００１５】
第一フレーム6が第一回転リングに近い一端の高さは第一回転リング5の高さより大きく、または、第一フレーム6が第一回転リングに近い一端に、係合凹溝14が形成され、第一回転リング5の内側の複数所定箇所に係合開口部11が設置され、また、第二回転リング3の内側壁の四周に係合ブロック9が設置され、第二回転リング3の内側の開口部に、傾斜している止めリング8が設置され、また、止めリング8の表面に接続開口部10が設置され、第一回転リング5と第二回転リング3とをより固く接続柱4と係合させるようにして、使用中に緩んで自動的に閉じて折りたたむ状況を避ける。接続柱4の頂部に折り曲げ可能なフック1が一体成型され、靴下ラック全体を日当たりのいい場所に掛けて干すことができる。
【００１６】
作動原理は以下の通りである。該靴下ラックを使って靴下を干す際、まず第一回転リング5と第二回転リング3をそれぞれ接続柱4に被装し、続いて手で第一フレーム6と第二フレーム2を違う方向へ移動させて、第一回転リング5と第二回転リング3を接続柱4の周りに回って違う方向に回転させることで、靴下ラック全体を伸び開く。また、吊り下げ紐12を対応な接続穴7の内側に固定し、吊り下げ紐12の底部に設置されたクラップ13により靴下を挟んで干すできるようになる。使わない際、上記と逆操作で折り畳んで収納できるため、靴下ラックの体積を大幅に減らしてスペースを節約できるようになる。
【００１７】
説明すべきなのは、本明細書では、例えば第一や第二のような関係用語は、ただ1つの部品又は動作を他の部品又は動作と区別するために用いられ、これらの部品又は動作の間に実際的な関係又は順序が存在することを必ずしも要求しない。さらに、用語「備える」、「含む」、又は他の任意の変形は、非排他的な要素を含むことを意図し、更に一連の要素を含むプロセス、方法、物品、又は装置がそれらの要素を含むだけでなく、明示的に説明されていない他の要素、又はこのようなプロセス、方法、物品、または装置に固有の要素も含む。
【００１８】
本実用新案の実施形態を図示し説明したが、当業者にとっては、本実用新案の原理と精神から逸脱しない場合に、これらの実施形態を様々な変化、修正、置換、変形を行うことができる。本考案の範囲は、添付の実用新案登録請求の範囲及びその均等物によって限定される。
【符号の説明】
【００１９】
１、フック；2、第二フレーム；3、第二回転リング；4、接続柱；5、第一回転リング；6、第一フレーム；7、接続穴；8、止めリング；9、係合ブロック；10、接続開口部；11、係合開口部；12、吊り下げ紐；13、クリップ；14、係合凹溝；15、接続リング
【図１】
0003231877.tif 000003
【図２】
0003231877.tif 000004
【図３】
0003231877.tif 000005
【図４】
0003231877.tif 000006
【図５】
0003231877.tif 000007
【手続補正書】
【提出日】令和3年2月19日(2021.2.19)
【手続補正１】
【補正対象書類名】実用新案登録請求の範囲
【補正対象項目名】全文
【補正方法】変更
【補正の内容】
【実用新案登録請求の範囲】
【請求項１】
回転可能な靴下ラックであり、それは接続柱（4）を備え、
前記接続柱（4）の外側に第一回転リング（5）が可動可能に被装され、前記第一回転リング（5）の両側の表面に何れも第一フレーム（6）が固設され、前記第一回転リング（5）の頂部において且つ接続柱（4）の外側に第二回転リング（3）が可動可能に被装され、前記第二回転リング（3）の両側の表面には、何れも第二フレーム（2）が固設され、前記第一フレーム（6）と第二フレーム（2）の表面に何れも横向きに接続穴（7）が設けられることを特徴とする回転可能な靴下ラック。
【請求項２】
前記接続穴（7）の内側に何れも吊り下げ紐（12）が設置され、前記吊り下げ紐（12）の底部に何れも接続リング（15）が固設され、また、接続リング（15）の底部に何れもクリップ（13）が固設されることを特徴とする請求項１に記載の回転可能な靴下ラック。
【請求項３】
前記第一フレーム（6）が第一回転リング（5）に近い一端の高さは第一回転リング（5）の高さより大きく、または、第一フレーム（6）が第一回転リング（5）に近い一端に、係合凹溝（14）が形成されることを特徴とする請求項１に記載の回転可能な靴下ラック。
【請求項４】
前記第一回転リング（5）の内側の複数所定箇所に係合開口部（11）が設置され、また、第二回転リング（3）の内側壁の四周に係合ブロック（9）が設置されることを特徴とする請求項１に記載の回転可能な靴下ラック。
【請求項５】
前記第二回転リング（3）の内側の開口部に、傾斜している止めリング（8）が設置され、また、止めリング（8）の表面に接続開口部（10）が設置されることを特徴とする請求項１に記載の回転可能な靴下ラック。
【請求項６】
前記接続柱（4）の頂部に折り曲げ可能なフック（1）が一体成型されることを特徴とする請求項１に記載の回転可能な靴下ラック。